(57)【要約】【課題】ＰＣＩｅにて定義される挿入損失の規定を満たす領域内に挿入損失を収める。【解決手段】信号発生装置１は、ＰＣＩｅに対応した被測定物を試験するために、所望のロス値を与えた信号を発生させるものであり、１ＧＨｚ、ナイキスト周波数、１／２ナイキスト周波数を含む少なくとも３点の周波数の挿入損失値を設定する設定手段２と、設定手段２にて設定された３点の周波数の挿入損失値を通る挿入損失特性を表示画面１１ａ上に表示する表示制御手段１０とを備え、表示画面１１ａ上の挿入損失特性がＰＣＩｅにて定義される挿入損失の規定を満たす領域内に収まるように設定手段２にて３点の周波数の挿入損失値を調整する。【選択図】図１
2020017919.tif 000002
【特許請求の範囲】
【請求項１】
ＰＣＩｅに対応した被測定物を試験するために、所望のロス値を与えた信号を発生させる信号発生装置（１）であって、
ナイキスト周波数、１／２ナイキスト周波数、１／２ナイキスト周波数より低い所定周波数を含む少なくとも３点の周波数の挿入損失値を設定する設定手段（２）と、
前記設定手段にて設定された前記３点の周波数の挿入損失値を通る挿入損失特性を表示画面（１１ａ）上に表示する表示制御手段（１０）とを備え、
前記表示画面上の挿入損失特性が前記ＰＣＩｅにて定義される挿入損失の規定を満たす領域内に収まるように前記設定手段にて前記３点の周波数の挿入損失値を調整することを特徴とする信号発生装置。
【請求項２】
前記挿入損失特性を前記ＰＣＩｅにて定義される挿入損失の規定を満たす領域内に収めた状態で、前記設定手段（２）にて前記１／２ナイキスト周波数の挿入損失値のみを可変して０ＧＨｚの直流挿入損失を許容範囲内に調整することを特徴とする請求項１記載の信号発生装置。
【請求項３】
ＰＣＩｅに対応した被測定物を試験するために、所望のロス値を与えた信号を発生させる信号発生装置（１）の挿入損失調整方法であって、
ナイキスト周波数、１／２ナイキスト周波数、１／２ナイキスト周波数より低い所定周波数を含む少なくとも３点の周波数の挿入損失値を設定するステップと、
前記３点の周波数の挿入損失値による挿入損失特性を表示画面（１１ａ）上に表示するステップと、
前記表示画面上の挿入損失特性が前記ＰＣＩｅにて定義される挿入損失の規定を満たす領域内に収まるように前記３点の周波数の挿入損失値を調整するステップとを含むことを特徴とする信号発生装置の挿入損失調整方法。
【請求項４】
前記挿入損失特性を前記ＰＣＩｅにて定義される挿入損失の規定を満たす領域内に収めた状態で、前記１／２ナイキスト周波数の挿入損失値のみを可変して０ＧＨｚの直流挿入損失を許容範囲内に調整するステップを含むことを特徴とする請求項３記載の信号発生装置の挿入損失調整方法。
【発明の詳細な説明】
【技術分野】
【０００１】
本発明は、デジタル信号の伝送規格であるＰＣＩｅに対応したデバイス（ＤＵＴ：被測定物）を試験するために、所望のロス値を与えた信号を発生させる信号発生装置および該装置を用いたＰＣＩｅ用ＩＳＩキャリブレーションチャネルの実現方法に関する。
【背景技術】
【０００２】
例えば下記特許文献１に開示されるように、誤り率測定装置は、光電変換部品等の被測定物に固定データを含むテスト信号を送信し、被測定物を介して入力される被測定信号と基準となる参照信号とをビット単位で比較してビット誤り率（ＢＥＲ：Bit Error Rate）を測定する装置として従来から知られている。
【０００３】
ところで、この種の誤り率測定装置の被測定物として、例えばＰＣＩｅ  Ｇｅｎ４．０などのデジタル信号の伝送規格に対応したデバイスにおいては、伝送規格毎のテストボード（Ｔｅｓｔ  Ｂｏａｒｄ）の特性を評価するため、テストボードへの入力に規定の伝送線路損失を模擬したテストフィクスチャであるＩＳＩキャリブレーションチャネル（Ｃａｌｉｂｒａｔｉｏｎ  Ｃｈａｎｎｅｌ：校正チャネル）を導入する必要がある。
【先行技術文献】
【特許文献】
【０００４】
【特許文献１】特開２００７−２７４４７４号公報
【発明の概要】
【発明が解決しようとする課題】
【０００５】
しかしながら、ＩＳＩキャリブレーションチャネルの損失量は伝送規格により様々である。このため、ユーザは伝送規格毎のテストボードとは別に伝送規格に合致したＩＳＩキャリブレーションチャネルのロスボードを用意する必要があった。
【０００６】
例えばＰＣＩｅ４．０のＩＳＩキャリブレーションチャネルを模擬する場合を考える。ＰＣＩｅ４．０では、挿入損失が図７に示すように定義されており、例えば１６．０ＧＴ／ｓ  Ｒｏｏｔ  Ｐｏｒｔ  Ｌｏｎｇを模擬する場合、１ＧＨｚの挿入損失を４．２ｄＢ〜５．２ｄＢの範囲以内、８ＧＨｚの挿入損失を−２０．５〜２６．５ｄＢの範囲以内に収める必要がある。このため、ユーザは、上述した１ＧＨｚと８ＧＨｚの２点の挿入損失およびこの２点間の範囲の挿入損失をＰＣＩｅにて定義される挿入損失の規定を満たす領域内に収めたキャリブレーションチャネルを用意する必要があった。
【０００７】
そこで、本発明は上記問題点に鑑みてなされたものであって、ＰＣＩｅにて定義される挿入損失の規定を満たす領域内に挿入損失を収めることができる信号発生装置および該装置を用いたＰＣＩｅ用ＩＳＩキャリブレーションチャネルの実現方法を提供することを目的としている。
【課題を解決するための手段】
【０００８】
上記目的を達成するため、本発明の請求項１に記載された信号発生装置は、ＰＣＩｅに対応した被測定物を試験するために、所望のロス値を与えた信号を発生させる信号発生装置１であって、
ナイキスト周波数、１／２ナイキスト周波数、１／２ナイキスト周波数より低い所定周波数を含む少なくとも３点の周波数の挿入損失値を設定する設定手段２と、
前記設定手段にて設定された前記３点の周波数の挿入損失値を通る挿入損失特性を表示画面１１ａ上に表示する表示制御手段１０とを備え、
前記表示画面上の挿入損失特性が前記ＰＣＩｅにて定義される挿入損失の規定を満たす領域内に収まるように前記設定手段にて前記３点の周波数の挿入損失値を調整することを特徴とする。
【０００９】
請求項２に記載された信号発生装置は、請求項１の信号発生装置において、
前記挿入損失特性を前記ＰＣＩｅにて定義される挿入損失の規定を満たす領域内に収めた状態で、前記設定手段２にて前記１／２ナイキスト周波数の挿入損失値のみを可変して０ＧＨｚの直流挿入損失を許容範囲内に調整することを特徴とする。
【００１０】
請求項３に記載された信号発生装置を用いたＰＣＩｅ用ＩＳＩキャリブレーションチャネルの実現方法は、ＰＣＩｅに対応した被測定物を試験するために、所望のロス値を与えた信号を発生させる信号発生装置１の挿入損失調整方法であって、
ナイキスト周波数、１／２ナイキスト周波数、１／２ナイキスト周波数より低い所定周波数を含む少なくとも３点の周波数の挿入損失値を設定するステップと、
前記３点の周波数の挿入損失値による挿入損失特性を表示画面１１ａ上に表示するステップと、
前記表示画面上の挿入損失特性が前記ＰＣＩｅにて定義される挿入損失の規定を満たす領域内に収まるように前記３点の周波数の挿入損失値を調整するステップとを含むことを特徴とする。
【００１１】
請求項４に記載された信号発生装置を用いたＰＣＩｅ用ＩＳＩキャリブレーションチャネルの実現方法は、請求項３の信号発生装置を用いたＰＣＩｅ用ＩＳＩキャリブレーションチャネルの実現方法において、
前記挿入損失特性を前記ＰＣＩｅにて定義される挿入損失の規定を満たす領域内に収めた状態で、前記１／２ナイキスト周波数の挿入損失値のみを可変して０ＧＨｚの直流挿入損失を許容範囲内に調整するステップを含むことを特徴とする。
【発明の効果】
【００１２】
本発明によれば、３点の周波数（ナイキスト周波数、１／２ナイキスト周波数、１／２ナイキスト周波数より低い所定周波数）の挿入損失値を設定することにより、ＰＣＩｅにて定義される挿入損失の規定を満たす領域内に挿入損失を収めることができる。
【００１３】
また、３点の周波数の挿入損失値をＰＣＩｅにて定義される挿入損失の規定を満たす領域内に収めた状態で、表示画面上に表示される挿入損失特性を確認しながら１／２ナイキスト周波数の挿入損失値のみを可変して調整することにより、０ＧＨｚの直流挿入損失を許容範囲内に調整することができる。
【図面の簡単な説明】
【００１４】
【図１】本発明に係る信号発生装置の概略構成を示すブロック図である。
【図２】本発明に用いられるＦＩＲフィルタの構成例を示す図である。
【図３】本発明に係る信号発生装置を用いたＰＣＩｅ用ＩＳＩキャリブレーションチャネルの実現方法のフローチャートである。
【図４】０ＧＨｚの直流挿入損失が許容範囲内に収まっていない状態の挿入損失特性の表示例を示す図である。
【図５】０ＧＨｚの直流挿入損失が許容範囲内に収まっている状態の挿入損失特性の表示例を示す図である。
【図６】本発明に係る信号発生装置によるＩＳＩ信号の発生方法のフローチャートである。
【図７】ＰＣＩｅ４．０にて定義される挿入損失の規定を示す図である。
【発明を実施するための形態】
【００１５】
以下、本発明を実施するための形態について、添付した図面を参照しながら詳細に説明する。
【００１６】
本発明に係る信号発生装置は、デジタル信号の伝送規格であるＰＣＩｅに対応したデバイス（ＤＵＴ：被測定物）を試験するために、デジタル信号の伝送規格に基づく所望のロス値（損失量）によるＩＳＩ（InterSymbol Interference：符号間干渉）を印加した信号（以下、ＩＳＩ信号という）を発生するものである。
【００１７】
図１に示すように、本実施の形態の信号発生装置１は、挿入損失がＰＣＩｅにて定義される挿入損失の規定を満たしてＰＣＩｅ用ＩＳＩキャリブレーションチャネルを実現するため、設定手段２、周波数特性ファイル作成手段３、記憶手段４、逆特性算出手段５、逆フーリエ変換手段６、インパルス応答切出手段７、タップ係数算出手段８、信号発生手段９、表示制御手段１０、表示手段１１を備えて概略構成される。
【００１８】
設定手段２は、ＰＣＩｅ用ＩＳＩキャリブレーションチャネルを実現する際に、例えば図４や図５の表示形態で表示される設定画面において、複数の周波数の挿入損失値を数値入力により個別に設定する。
【００１９】
さらに説明すると、本実施の形態は、３点の周波数（１ＧＨｚ、ナイキスト周波数、１／２ナイキスト周波数）の挿入損失値を選択的かつ個別に設定できる設定モードとして、マルチポイントモード（Ｍｕｌｔｉ  Ｐｏｉｎｔ  Ｍｏｄｅ）を提供する。
【００２０】
具体的には、図４や図５に示すように、表示手段１１の表示画面１１ａ上に表示されるＭｕｌｔｉ  Ｐｏｉｎｔ  Ｍｏｄｅの「３ｐｏｉｎｔ」が選択されると、１ＧＨｚ（Ｌｏｗ  Ｆｒｅｑ．）の挿入損失値を数値入力するための入力窓２ａ、ナイキスト周波数（Ｎｙｑｕｉｓｔ  Ｆｒｅｑ．）の挿入損失値を数値入力するための入力窓２ｂ、１／２ナイキスト周波数（１／２Ｎｙｑｕｉｓｔ  Ｆｒｅｑ．）の挿入損失値を数値入力するための入力窓２ｃが表示手段１１の表示画面１１ａ上に表示される。ユーザは、図４や図５に示すように、表示手段１１の表示画面１１ａ上のグラフに表示される挿入損失特性を確認しながら３点の周波数（１ＧＨｚ、ナイキスト周波数、１／２ナイキスト周波数）それぞれの入力窓２ａ，２ｂ，２ｃに数値入力する。
【００２１】
なお、Ｍｕｌｔｉ  Ｐｏｉｎｔ  Ｍｏｄｅから「２ｐｏｉｎｔ」を選択した場合には、ナイキスト周波数の挿入損失値を数値入力するための入力窓２ｂと、１／２ナイキスト周波数（１／２Ｎｙｑｕｉｓｔ  Ｆｒｅｑ．）の挿入損失値を数値入力するための入力窓２ｃが表示され、これら入力窓２ｂ，２ｃに数値入力する。
【００２２】
周波数特性ファイル作成手段３は、設定手段２にて設定された３点の周波数（１ＧＨｚ、ナイキスト周波数、１／２ナイキスト周波数）それぞれの挿入損失値に基づいて周波数特性ファイルを作成する。作成した周波数特性ファイルには、作成日、ファイル名などが付与される。
【００２３】
記憶手段４は、３点の周波数（１ＧＨｚ、ナイキスト周波数、１／２ナイキスト周波数）の挿入損失値が確定した状態で周波数特性ファイル作成手段３にて作成された周波数特性ファイルを保存する。
【００２４】
逆特性算出手段５は、３点の周波数（１ＧＨｚ、ナイキスト周波数、１／２ナイキスト周波数）の挿入損失値が確定した状態で作成された周波数特性ファイル（または記憶手段４から読み出した周波数特性ファイル）に基づく周波数特性を入力データとし、この入力データの周波数特性の逆特性から伝達関数及びその逆特性を算出する。
【００２５】
逆フーリエ変換手段６は、逆特性算出手段５にて周波数特性ファイルの周波数特性の逆特性から算出された伝達関数の逆特性を逆フーリエ変換し、複数のポイントからなるインパルス応答を算出する。
【００２６】
インパルス応答切出手段７は、逆フーリエ変換手段６にて求めたインパルス応答の振幅のピークを基準として所望の範囲のタップ数分（例えば１０タップ分：６ｐｏｓｔ  ３ｐｒｅ）のポイントをインパルス応答から切り出す。
【００２７】
上記インパルス応答から切り出した値（タップ値）は、テストボードへの入力波形を歪ませる後述するＦＩＲフィルタ９ａのフィルタ係数となり、タップ係数を求めるのに使用される。
【００２８】
タップ係数算出手段８は、インパルス応答切出手段７にてインパルス応答から切り出したポイントが有する値を用い、後述するＦＩＲフィルタ９ａのＭａｉｎのタップを基準として、そこからのゲイン／損失の割合を求めてタップ係数を算出する。
【００２９】
信号発生手段９は、ＦＩＲフィルタ９ａを含んで構成され、タップ係数算出手段８にて算出したタップ係数をＦＩＲフィルタ９ａに設定し、テストボードへの入力波形を歪ませる所望の周波数特性のＩＳＩ信号を発生する。この際、発生するＩＳＩ信号は、挿入損失がＰＣＩｅにて定義される挿入損失の規定を満たす領域内に収まり、かつ０ＧＨｚの直流挿入損失が許容範囲内に収まった周波数特性を有する。
【００３０】
ＦＩＲフィルタ９ａは、例えば１０タップの場合、図２に示すように、Ｄ型フリップフロップなどの１０個の遅延回路２１（２１ａ，２１ｂ，２１ｃ，２１ｄ，２１ｅ，２１ｆ，２１ｇ，２１ｈ，２１ｉ，２１ｊ）と、１０個の乗算器２２（２２ａ，２２ｂ，２２ｃ，２２ｄ，２２ｅ，２２ｆ，２２ｇ，２２ｈ，２２ｉ，２２ｊ）と、９個の加算器２３（２３ａ，２３ｂ，２３ｃ，２３ｄ，２３ｅ，２３ｆ，２３ｇ，２３ｈ，２３ｉ）とを備え、入力端子２４と出力端子２５との間に１０個の遅延回路２１ａ，２１ｂ，２１ｃ，２１ｄ，２１ｅ，２１ｆ，２１ｇ，２１ｈ，２１ｉ，２１ｊを直列に接続して１０個のタップを形成する。
【００３１】
ＦＩＲフィルタ９ａの各タップには、設定されたタップ係数を乗算するための１０個の乗算器２２ａ，２２ｂ，２２ｃ，２２ｄ，２２ｅ，２２ｆ，２２ｇ，２２ｈ，２２ｉ，２２ｊが接続される。また、１０個の乗算器２２ａ，２２ｂ，２２ｃ，２２ｄ，２２ｅ，２２ｆ，２２ｇ，２２ｈ，２２ｉ，２２ｊの前後の段の出力は、９個の加算器２３ａ，２３ｂ，２３ｃ，２３ｄ，２３ｅ，２３ｆ，２３ｇ，２３ｈ，２３ｉの対応する段に接続される。そして、ＦＩＲフィルタ９ａは、１０個の乗算器２２ａ，２２ｂ，２２ｃ，２２ｄ，２２ｅ，２２ｆ，２２ｇ，２２ｈ，２２ｉ，２２ｊの乗算結果の総和を算出して出力する。
【００３２】
表示制御手段１０は、３点の周波数（１ＧＨｚ、ナイキスト周波数、１／２ナイキスト周波数）の挿入損失値から作成された周波数特性ファイルに基づく挿入損失特性が表示されるように、表示手段１１を表示制御する。
【００３３】
表示手段１１は、例えば装置本体に設けられる液晶表示器などの表示器で構成され、表示制御手段１０の制御により、３点の周波数（１ＧＨｚ、ナイキスト周波数、１／２ナイキスト周波数）の挿入損失値から作成された周波数特性ファイルに基づく挿入損失特性を表示画面１１ａ上のグラフ（横軸：周波数［ＧＨｚ］、縦軸：挿入損失［ｄＢ］）に表示する。
【００３４】
なお、図１の例では、設定手段２、表示制御手段１０、表示手段１１を機能分けして別々のブロックで示して説明したが、これらをＧＵＩ（graphical user interface）とキーボードや各種デバイスで構成し、コンピュータグラフィックスとマウスなどのポインティングデバイスを用いた直感的な操作により各種の操作・設定・表示を行うようにしてもよい。
【００３５】
次に、上記のように構成される信号発生装置１によるＰＣＩｅ用ＩＳＩキャリブレーションチャネルの実現方法について図３を参照しながら説明する。
【００３６】
［ＰＣＩｅ用ＩＳＩキャリブレーションチャネルの実現方法］
まず、図７に示すＰＣＩｅにて定義される挿入損失の規定を参照し、３点の周波数（１ＧＨｚ、ナイキスト周波数、１／２ナイキスト周波数）の挿入損失値を設定手段２にて設定する（ＳＴ１）。具体的には、図４や図５に示すように、表示手段１１の表示画面１１ａ上に表示されるＭｕｌｔｉ  Ｐｏｉｎｔ  Ｍｏｄｅの「３ｐｏｉｎｔ」を選択し、１ＧＨｚの挿入損失の入力窓２ａ、ナイキスト周波数の挿入損失の入力窓２ｂ、１／２ナイキスト周波数の挿入損失の入力窓２ｃそれぞれに数値入力して３点の周波数（１ＧＨｚ、ナイキスト周波数、１／２ナイキスト周波数）の挿入損失値を設定する。
【００３７】
次に、周波数特性ファイル作成手段４は、設定手段２にて設定された３点の周波数（１ＧＨｚ、ナイキスト周波数、１／２ナイキスト周波数）の挿入損失値から周波数特性ファイルを作成する（ＳＴ２）。
【００３８】
次に、表示制御手段１０は、周波数特性ファイル作成手段４にて作成した周波数特性ファイルに基づく挿入損失特性を表示手段１１の表示画面１１ａ上のグラフに表示する（ＳＴ３）。
【００３９】
例えば１ＧＨｚの挿入損失値が「４．３００ｄＢ」、ナイキスト周波数の挿入損失値が「２３．００ｄＢ」、１／２ナイキスト周波数の挿入損失値が「１２．３００ｄＢ」に設定されると、これらの挿入損失値の各点を結んだ挿入損失特性を、図４に示すように、表示手段１１の表示画面１１ａ上のグラフに表示する。
【００４０】
そして、ユーザは、表示手段１１の表示画面１１ａ上に表示された挿入損失特性のグラフを確認し、挿入損失特性における０ＧＨｚの直流挿入損失が許容範囲内に収まっていない場合には、１／２ナイキスト周波数の挿入損失値のみを設定手段２にて数値入力により可変して調整する（ＳＴ４）。
【００４１】
例えば図４における１／２ナイキスト周波数の挿入損失値「１２．３００ｄＢ」を「１４．０００ｄＢ」まで下げて数値入力すると、０ＧＨｚの直流挿入損失が「１．１４ｄＢ」になる。これにより、１／２ナイキスト周波数の挿入損失値のみを可変して調整するだけで０ＧＨｚの直流挿入損失を許容範囲内に収めることができる。
【００４２】
さらに説明すると、送信機ＲＸの直流抵抗は＋７．５Ωまで許容されるため（直流抵抗はｓｉｎｇｌｅ  ４２．５Ωで定義されているため５０Ωまで許容）、少しであれば０ＧＨｚの直流挿入損失がかかってもよいことになる。この直流抵抗の規定からすると受信機Ｔｘが５０Ω系であれば−１．４ｄＢ程度まで損失が許容される。つまり、図４では許容されない０ＧＨｚの直流挿入損失を、図５のように１／２ナイキスト周波数の挿入損失値のみを変更するだけで０ＧＨｚの直流挿入損失を許容範囲内の１．１４ｄＢに調整することができる。
【００４３】
次に、上記信号発生装置１によるＩＳＩ信号の発生方法について図６を参照しながら説明する。
【００４４】
［ＩＳＩ信号の発生方法］
逆特性算出手段５は、上述したＰＣＩｅ用ＩＳＩキャリブレーションチャネルの実現方法により、３点の周波数（１ＧＨｚ、ナイキスト周波数、１／２ナイキスト周波数）の挿入損失値が確定した状態で作成される周波数特性ファイル（または記憶手段３から読み出した周波数ファイル）による周波数特性の逆特性から伝達関数及びその逆特性を算出する（ＳＴ１１）。
【００４５】
次に、逆フーリエ変換手段６は、逆特性算出手段５にて算出した伝達関数の逆特性を逆フーリエ変換して複数ポイントのインパルス応答を算出する（ＳＴ１２）。
【００４６】
次に、インパルス応答切出手段７は、逆フーリエ変換手段６にて算出したインパルス応答から所定タップ数分のポイントを切り出す（ＳＴ１３）。
【００４７】
次に、タップ係数算出手段８は、インパルス応答切出手段７にてインパルス応答から切り出したタップ数分のポイントが有する値を用い、ＦＩＲフィルタのＭａｉｎのタップを基準として、そこからのゲイン／損失の割合によりタップ係数を算出する（ＳＴ１４）。
【００４８】
そして、信号発生手段９は、タップ係数算出手段８にて算出したタップ係数をＦＩＲフィルタに設定し、挿入損失をＰＣＩｅにて定義される挿入損失の規定を満たす領域内に収め、かつ０ＧＨｚの直流挿入損失を許容範囲内に収めた周波数特性のＩＳＩ信号を発生する（ＳＴ１５）。
【００４９】
このように、本実施の形態によれば、ＰＣＩｅ用に３点の周波数（１ＧＨｚ、ナイキスト周波数、１／２ナイキスト周波数）にて挿入損失を定義するマルチポイントモードを提供し、３点の周波数（１ＧＨｚ、ナイキスト周波数、１／２ナイキスト周波数）の挿入損失値を設定することにより、ＰＣＩｅにて定義される挿入損失の規定を満たす領域内に挿入損失を収めた挿入損失特性を得ることができる。
【００５０】
また、３点の周波数の挿入損失値をＰＣＩｅにて定義される挿入損失の規定を満たす領域内に収めた状態で、表示画面上に表示される挿入損失特性を確認しながら１／２ナイキスト周波数の挿入損失値のみを可変して調整することにより、１ＧＨｚとナイキスト周波数の挿入損失値を変更することなく、必要最小限の操作で０ＧＨｚの直流挿入損失を許容範囲内に調整することができる。
【００５１】
ところで、上述した実施の形態では、１ＧＨｚ、ナイキスト周波数、１／２ナイキスト周波数による３点の周波数の挿入損失値を選択的かつ個別に設定可能としているが、これに限定されるものではない。例えば１ＧＨｚとナイキスト周波数の２点の周波数に加え、１／２n （２のｎ乗分の１）ナイキスト周波数（但し、ｎは１以上の自然数）の挿入損失値をそれぞれ選択的かつ個別に設定できる構成としてもよい。また、ナイキスト周波数、１／２ナイキスト周波数、１／２ナイキスト周波数より低い所定周波数（１または複数の周波数）による複数点の周波数の挿入損失値を選択的かつ個別に設定できる構成としてもよい。
【００５２】
以上、本発明に係る信号発生装置および該装置を用いたＰＣＩｅ用ＩＳＩキャリブレーションチャネルの実現方法の最良の形態について説明したが、この形態による記述および図面により本発明が限定されることはない。すなわち、この形態に基づいて当業者等によりなされる他の形態、実施例および運用技術などはすべて本発明の範疇に含まれることは勿論である。
【符号の説明】
【００５３】
１  信号発生装置
２  設定手段
２ａ，２ｂ，２ｃ  入力窓
３  記憶手段
４  周波数特性ファイル作成手段
５  逆特性算出手段
６  逆フーリエ変換手段
７  インパルス応答切出手段
８  タップ係数算出手段
９  信号発生手段
９ａ  ＦＩＲフィルタ
１０  表示制御手段
１１  表示手段
１１ａ  表示画面
２１（２１ａ，２１ｂ，２１ｃ，２１ｄ，２１ｅ，２１ｆ，２１ｇ，２１ｈ，２１ｉ，２１ｊ）  遅延回路
２２（２２ａ，２２ｂ，２２ｃ，２２ｄ，２２ｅ，２２ｆ，２２ｇ，２２ｈ，２２ｉ，２２ｊ）  乗算器
２３（２３ａ，２３ｂ，２３ｃ，２３ｄ，２３ｅ，２３ｆ，２３ｇ，２３ｈ，２３ｉ，２３ｊ）  加算器
２４  入力端子
２５  出力端子
【図１】
2020017919.tif 000003
【図２】
2020017919.tif 000004
【図３】
2020017919.tif 000005
【図４】
2020017919.tif 000006
【図５】
2020017919.tif 000007
【図６】
2020017919.tif 000008
【図７】
2020017919.tif 000009